(57)【要約】  肌の変色部位に貼付したときに、変色部位を目立たなくするシートを提供する。肌の変色部位に貼付するシートが、一方の面が肌に貼付される薄膜（５２０）と、当該薄膜の他方の面に色素材料を含んで形成される第１機能層（５２１）と、当該第１機能層の表面に反射材料を含んで形成される第２機能層（５２２）とを備える。
2019003649.tif 000002
【特許請求の範囲】
【請求項１】
肌の変色部位に貼付するシートであって、
一方の面が肌に貼付される薄膜と、
前記薄膜の他方の面に、色素材料を含んで形成される第１機能層と、
前記第１機能層の表面に、反射材料を含んで形成される第２機能層と、
を備えるシート。
【請求項２】
前記第２機能層の厚さが、前記第１機能層の厚さよりも厚い、
請求項１に記載のシート。
【請求項３】
前記第２機能層の表面に、色素材料を含んで形成される第３機能層をさらに備える、
請求項１又は２に記載のシート。
【請求項４】
前記薄膜は、生体適合性を有し、厚さが１０ｎｍから１０μｍである、
請求項１から３の何れか１項に記載のシート。
【請求項５】
請求項１に記載のシートの生成に用いる画像処理装置であって、
前記変色部位を撮影した画像から、前記変色部位に対応する変色領域を特定する画像解析部と、
前記変色領域におけるＬａｂ色空間のＬ＊値に基づいて前記第２機能層の厚さを決定し、当該決定した前記第２機能層の厚さの情報を含むシート情報を生成するシート情報生成部と、
を備える画像処理装置。
【請求項６】
前記シート情報生成部は、前記変色領域におけるＬａｂ色空間のａ＊値及びｂ＊値に基づいて前記第１機能層の色を決定し、当該決定した前記第１機能層の色の情報を前記シート情報に含める、
請求項５に記載の画像処理装置。
【請求項７】
前記シートが、前記第２機能層の表面に、色素材料を含んで形成される第３機能層をさらに備え、
前記シート情報生成部は、前記変色領域の周辺のＬａｂ色空間のＬ＊値、ａ＊値及びｂ＊値に基づいて前記第３機能層の色を決定し、当該決定した第３機能層の色の情報を前記シート情報に含める、
請求項５又は６に記載の画像処理装置。
【請求項８】
前記シート情報に基づいて生成されるシートを前記変色部位に貼付した場合のシミュレーション画像を表示し、前記シート情報に含まれる第３機能層の色の調整を受け付ける仕上がり確認部、をさらに備え、
請求項７に記載の画像処理装置。
【請求項９】
請求項１に記載のシートの生成に関する画像処理方法であって、
前記変色部位を撮影した画像から、前記変色部位に対応する変色領域を特定し、
前記特定した変色領域におけるＬａｂ色空間のＬ＊値に基づいて前記第２機能層の厚さを決定し、当該決定した前記第２機能層の厚さの情報を含むシート情報を生成する、
画像処理方法。
【発明の詳細な説明】
【技術分野】
【０００１】
本開示は、肌に貼付可能なシート、及び、当該シートの形成に用いる画像処理装置並びに画像処理方法に関する。
【背景技術】
【０００２】
従来、頬のシミといった肌の変色部位を目立たなくするための技術が存在している（例えば、特許文献１参照）。特許文献１に記載の技術（以下「従来技術」という）は、肌を撮影した画像から肌の変色部位に相当する領域（以下「変色領域」という）を識別し、肌に貼付可能であって非変色領域の色の印刷材料が印刷されたシートを、変色領域と同一または変色領域よりも大きいサイズで生成する。このような従来技術によれば、シートを肌に貼り付けるといった簡単な作業で、肌の変色部位を目立たなくすることができる。
【先行技術文献】
【特許文献】
【０００３】
【特許文献１】特開２０１５−４３８３６号公報
【発明の概要】
【０００４】
しかしながら、従来技術では、濃い変色部位をカバーするためには、印刷材料を厚目に印刷しなければならず、シートを貼付したときに厚塗り感が生じてしまう。したがって、厚塗り感を生じさずに、変色部位を目立たなくさせることが可能な技術が望まれる。
【０００５】
本開示の一態様は、厚塗り感を生じさせずに、肌の変色部位を目立たなくすることを可能にするシートを提供する。また、本開示の別の一態様は、当該シートを生成する画像処理装置及び画像処理方法を提供する。
【０００６】
本開示の一態様に係るシートは、肌の変色部位に貼付するシートであって、一方の面が肌に貼付される薄膜と、前記薄膜の他方の面に、色素材料を含んで形成される第１機能層と、前記第１機能層の表面に、反射材料を含んで形成される第２機能層と、を備える。
【０００７】
本開示の一態様に係る画像処理装置は、上記シートの生成に用いる画像処理装置であって、前記変色部位を撮影した画像から、前記変色部位に対応する変色領域を特定する画像解析部と、前記変色領域におけるＬａｂ色空間のＬ＊値に基づいて前記第２機能層の厚さを決定し、当該決定した前記第２機能層の厚さの情報を含むシート情報を生成するシート情報生成部と、を備える。
【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【０００９】
本開示に係るシートは、厚塗り感を感じさせずに、肌の変色部位を目立たなくすることを可能とする。
【図面の簡単な説明】
【００１０】
【図１】実施の形態１に係るメイク支援システムの概要を説明するための図。
【図２】メイクシートの構成例を示す図。
【図３Ａ】メイクシートを貼付しない場合の状態を説明するための図。
【図３Ｂ】メイクシートを貼付した場合の状態を説明するための図。
【図４Ａ】メイクシートの別の構成例を示す図。
【図４Ｂ】メイクシートの別の構成例を示す図。
【図４Ｃ】メイクシートの別の構成例を示す図。
【図５】実施の形態２に係る画像処理装置の構成例を示すブロック図。
【図６】遮蔽層情報テーブルの構成例を示す図。
【図７】画像処理装置の全体の処理例を示すフローチャートを示す図。
【図８】シート情報生成部の処理例を示すフローチャートを示す図。
【図９】仕上がり確認部の処理例を示すフローチャートを示す図。
【図１０】仕上がり確認画面の例を示す図を示す図。
【図１１】本開示に係るコンピュータのハードウェア構成例を示すブロック図。
【発明を実施するための形態】
【００１１】
以下、本開示の幾つかの実施の形態について、図面を参照しながら詳細に説明する。
【００１２】
（実施の形態１）
実施の形態１では、肌に貼付してシミ又は痣などの変色部位を目立たなくするメイクシートについて説明する。
【００１３】
＜概要＞
まず、図１を参照し、本実施の形態に係るメイクシートの生成及び使用の概要について説明する。
【００１４】
図１において、メイク支援システム１００は、照明部２０１と、カメラ２０２と、タッチパネル付き液晶ディスプレイ等の表示部２０３を備えた画像処理装置２００と、画像処理装置２００と通信可能に接続された印刷装置３００とを含む。
【００１５】
画像処理装置２００は、照明部２０１から可視光を照射された状態で、表示部２０３の正面に位置するユーザ４００の顔を、表示部２０３の近傍に配置されたカメラ２０２で撮影する。そして、画像処理装置２００は、撮影した画像を左右反転させて顔画像５００を生成し、表示部２０３に表示する。これにより、ユーザ４００は、鏡を覗き込んでいるような感覚を得られる。
【００１６】
また、画像処理装置２００は、顔画像５００から（或いは反転前の顔画像から）、１又は複数の変色領域５１１を特定する。そして、画像処理装置２００は、その特定した顔画像５００の変色領域５１１に対応する肌４１０の変色部位を目立たなくするメイクシート５０を生成するための印刷データを生成する。そして、画像処理装置２００は、その印刷データを、所定のネットワーク又はケーブルで接続されている印刷装置３００へ送信する。
【００１７】
印刷装置３００は、画像処理装置２００から送信された印刷データに基づいて、メイクシート５０を生成する。例えば、印刷装置３００は、剥離可能な支持体（台紙）に貼り付けられた薄膜に対して、変色部位を目立たなくする色素材料及び反射材料などを積層印刷することにより、メイクシート５０を生成する。
【００１８】
ユーザ４００は、その生成されたメイクシート５０を肌４１０の変色部位の上に貼付することにより、変色部位を目立たなくさせることができる。
【００１９】
画像処理装置２００及び印刷装置３００は、例えば、工場、化粧品販売店舗、美容室、医療機関、身だしなみを整えるメイクルーム、イベント会場、又は個人宅等に配置される。なお、画像処理装置２００は、容易に持ち運ぶことも可能なポータブル型の装置であってもよい。
【００２０】
＜メイクシートの構成＞
次に、図２を参照し、本実施の形態に係るメイクシート５０の構成について説明する。
【００２１】
メイクシート５０は、シート状の薄膜５２０と、当該薄膜５２０の上に形成された第１機能層５２１と、当該第１機能層５２１の上に形成された第２機能層５２２と、当該第２機能層５２２の上に形成された第３機能層５２３と、を備える。なお、第１機能層５２１及び第２機能層５２２を合わせて遮蔽層と、第３機能層５２３を肌層と呼んでもよい。
【００２２】
[薄膜]
薄膜５２０は、人の肌に貼付しても違和感が無く、無色透明、肌色、白色又は半透明であって、かつ、生体適合性を有するシート状部材である。このような薄膜５２０の厚さは、１０ｎｍから１００００ｎｍ（１０ｎｍから１０μｍ）を用いることができ、特に１０ｎｍから１０００ｎｍが好ましい。薄膜５２０が疎水性の性質を有する場合は、特に１０ｎｍから８００ｎｍが好ましい。薄膜５２０の平面視の形状は、矩形状である。ただし、薄膜５２０の平面視の形状はどのような形状であってもよく、例えば、変色領域５１１の形状又はその周辺の形状に適合する形状であってよい。
【００２３】
なお、薄膜５２０は、スピンコート法もしくはロールツーロール法、ＬＢ法などで形成されるシート、又は、電界紡糸法などで生成されるファイバーが折り重なるファイバーシートの形状のいずれでもよい。また、薄膜５２０には、変色領域５１１又はその周辺の形状に適合するように、外周部及び／又は面内に切れ込みが形成されてもよい。
【００２４】
薄膜５２０の材料は、例えば、ポリグリコール酸、ポリ乳酸、ポリカプロラクトン、ポリエチレンサクシネート、ポリエチレンテレフタレート、ポリエチレングリコール、ポリプロピレングリコール、ナイロン、ポリグルタミン酸、ポリイミド、アクリルシリコーン、トリメチルシロキシケイ酸、ジメチルポリシロキサン、アクリル酸／シリコーン共重合体、アクリル酸アルキル／アミド共重合体、ポリエチレン、ポリプロピレン、ポリウレタン等の樹脂、ポリアニリン、ポリチオフェン、ポリピロール、ポリビニルアルコール、ポリカーボネート、ポリスチレン、ナフィオン等のポリマー、又は、プルラン、セルロース（例えば、カルボキシメチルセルロース、ヒドロキシエチルセルロース等）、デンプン、キチン、キトサン、アルギン酸、コーンスターチ、ペクチン、アラビノキシラン、グリコーゲン、アミロース、アミロペクチン、ヒアルロン酸等の多糖類から選択できる。特に、薄膜５２０の材料は、ポリ乳酸、セルロース（例えば、カルボキシメチルセルロース、ヒドロキシエチルセルロース等）、デンプン、キチン、キトサン、アルギン酸、コーンスターチ、ポリウレタンが好ましい。
【００２５】
[第１機能層]
第１機能層５２１は、薄膜５２０の上に形成される層である。第１機能層５２１は、薄膜５２０の上に色素材料を含む第１印刷材料（インク）を印刷することにより形成される。
【００２６】
第１機能層５２１の色素材料（化粧料等）は、変色部位に対するコントロールカラーの役割を担う。よって、変色部位の周辺色（又はそれに類似する色）を、第１機能層５２１の色素材料に選択することにより、変色部位が目立たなくなる。
【００２７】
色素材料は、例えば、酸化鉄、水酸化鉄等のチタン酸鉄等の無機赤色顔料、γ−酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青（フェロシアン化第二鉄）、群青等の無機青色系顔料、各種タール系色素をレーキ化したもの、各種天然色素をレーキ化したもの、これらの粉体を複合化した合成樹脂粉体等である。
【００２８】
また、第１印刷材料の粒形には、例えば、針状形状、不定形、球状形状、及び、板状形状などを選択可能である。
【００２９】
[第２機能層]
第２機能層５２２は、第１機能層５２１の上に形成される層である。第２機能層５２２は、第１機能層５２１の上に反射材料を含む第２印刷材料（インク）を印刷することにより形成される。
【００３０】
第２機能層５２２の反射材料は、変色部位の明度を高くする役割を担う。変色部位の明度を高くすると、変色部位の色と、変色部位の周辺色との明度の差が小さくなり、変色部位がより目立たなくなる。
【００３１】
反射材料は、例えば、白色顔料、パール剤、ソフトフォーカス剤及びラメ剤等である。パール剤、ソフトフォーカス剤及びラメ剤は、例えば、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母、非架橋アクリル粒子、ポリメチルシルセスキオキサン、シリコン、メタクリル酸メチルクロスポリマー、酸化チタン、水酸化アルミニウム、トリエトキシカプリリルシラン、カポック繊維、セルロース、ポリメタクリル酸メチル、ポリメタクリル酸メチルクロスポリマー、マイカ、（アクリレーツ／アクリル酸エチルヘキシル）クロスポリマー等である。
【００３２】
また、第２印刷材料の粒形には、例えば、針状形状、不定形、球状形状、及び板状形状等を選択可能である。
【００３３】
[第３機能層]
第３機能層５２３は、第２機能層５２２の上に形成される層である。第３機能層５２３は、第２機能層５２２の上に色素材料を含む第３印刷材料（インク）を印刷することにより形成される。
【００３４】
第３機能層５２３の色素材料は、着色の役割を担う。変色部位をより目立たなくする場合は、変色部位の周辺の色（又はそれに類似する色）を、第３機能層５２３の色素材料に選択するとよい。また、メイクシート５０を、チーク、アイシャドウ又はボディペインティングなど、化粧用品として使用する場合は、任意の色を、第３機能層５２３の色素材料に選択可能である。
【００３５】
第３機能層５２３の色素材料には、第１機能層５２１の色素材料と同様のものが使用可能である。また、第３印刷材料の粒形には、第１印刷材料の粒形と同様のものが選択可能である。
【００３６】
＜メイクシートの作用＞
次に、図３Ａ、図３Ｂを参照し、本実施の形態に係るメイクシート５０が変色部位を目立たなくする作用について説明する。
【００３７】
図３Ａに示すように、変色部位にメイクシート５０が貼付されていない場合は、変色部位での反射光Ｃ１に含まれる色成分、すなわち変色部位の色そのものが視認される。
【００３８】
これに対して、図３Ｂに示すように、変色部位にメイクシート５０が貼付されている場合、視認される反射光の色成分は、第１機能層５２１、第２機能層５２２及び第３機能層５２３、並びに、変色部位の色成分の混合となる。ここで、第２機能層５２２が反射材料を含んでいるので、入射光Ｃ２のうちの大部分が第２機能層５２２で反射される。また、第２機能層５２２を透過し、変色部位で反射された反射光Ｃ３も、その大部分が第２機能層５２２で反射される。
【００３９】
したがって、視認される反射光の色成分の混合割合は、第１機能層５２１及び第２機能層５２２の色成分が支配的な割合を占め、次に第１機能層５２１の色成分の割合が高く、変色部位の色成分の割合が最も低くなる。よって、本実施の形態に係るメイクシート５０は、より変色部位を目立たなくすることができる。
【００４０】
なお、第２機能層５２２の厚さＨ２は、第１機能層５２１の厚さＨ１よりも厚いことが好ましい。これにより、変色部位で反射された反射光Ｃ３が、第２機能層５２２で十分に反射されるため、変色部位がより目立たなくなる。ただし、第２機能層５２２の厚さＨ２を厚くし過ぎると、強い光沢感及び厚塗り感が生じてしまうため、第２機能層５２２の厚さＨ２には上限値を設けておくことが好ましい。なお、機能層の厚さは、印刷の積層回数の単位で表現されてもよい。例えば、第１機能層５２１の厚さＨ１は、印刷の積層回数１回分、第２機能層５２２の厚さＨ２は、印刷の積層回数３回分と表現されてもよい。
【００４１】
＜メイクシートの構成の変形例＞
次に、図４Ａ、図４Ｂ及び図４Ｃを参照し、メイクシート５０の構成の変形例について説明する。
【００４２】
図４Ａに示すように、メイクシート５０は、第３機能層５２３において、色素材料を含む層の上に、反射材料を含む層をさらに有する構成であってもよい。
【００４３】
また、図４Ｂに示すように、メイクシート５０は、第１機能層５２１と第２機能層５２２とが交互に複数形成されており、最後に第３機能層５２３が形成されている構成であってもよい。このような構成は、濃い(明度の低い)変色部位をより目立たなくする場合に好適である。例えば、変色部位から離れるに従って第１機能層５２１の明度を高くすることにより、色の階調ができ、変色部位を、より自然に目立たなくすることができる。
【００４４】
また、メイクシート５０は、第２機能層５２２と第３機能層５２３とが交互に複数形成される構成であってもよい。このような構成は、変色部位が薄い場合、又は、変色部位は既に十分隠蔽されているが遮蔽効果を微調整したい場合などに好適である。例えば、変色部位の周辺の色から大きくずれていない色を第３機能層５２３に採用して積層することにより、遮蔽効果を微調整することができる。
【００４５】
なお、上記の機能層が交互に複数形成される構成において、薄膜５２０側の第１機能層５２１と、その第１機能層５２１よりも上方に位置する第１機能層５２１とは、同じ組成物であり、かつ、層内の密度が異なる構成であってもよい。これは、第２機能層５２２又は第３機能層５２３についても同様である。ここで、層内の密度とは、機能層の形成手段がインクジェット印刷である場合は、ピクセル又はドットの密度に相当する解像度（dpi）であり、オフセット印刷である場合は、線数の密度である。なお、これらの印刷方式は一例であり、機能層は、どのような印刷方式で形成されてもよい。
【００４６】
また、図４Ｃに示すように、メイクシート５０は、第１機能層５２１の厚さＨ１を印刷の積層回数２回分とし、第２機能層５２２の厚さＨ２を印刷の積層回数２回分とする構成であってもよい。又は、図示していないが、メイクシート５０は、第３機能層５２３の厚さＨ３を印刷の積層回数２回分とする構成であってもよい。すなわち、各機能層の厚さは、任意であってよい。
【００４７】
また、第１機能層５２１と第２機能層５２２との色素材料（印刷材料）は、同じであってもよいし、異なってもよい。
【００４８】
＜実施の形態１の効果＞
本実施の形態に係るメイクシート５０は、薄膜５２０の上に、色素材料を含む第１機能層５２１が形成され、当該第１機能層５２１の上に反射材料を含む第２機能層５２２が形成され、当該第２機能層５２２の上に色素材料を含む第３機能層５２３が形成されている。このメイクシート５０は、変色部位に貼付した際に、厚塗り感を感じさせず、変色部位を十分に目立たなくすることができる。
【００４９】
（実施の形態２）
実施の形態２では、実施の形態１で説明したメイクシート５０の形成に用いる画像処理装置２００について説明する。
【００５０】
＜画像処理装置の構成＞
以下、図５を参照し、画像処理装置２００について説明する。
【００５１】
画像処理装置２００は、画像取得部２２０と、画像解析部２３０と、シート情報生成部２４０と、仕上がり確認部２５０と、印刷制御部２６０と、画像データ格納部２７０と、情報格納部２８０と、遮蔽層情報テーブル２９０と、を備える。
【００５２】
画像データ格納部２７０は、画像取得部２２０が取得した画像データを格納する。
【００５３】
情報格納部２８０は、画像解析部２３０による画像解析に必要な各種情報、及び、シート情報生成部２４０によるシート情報の決定に必要な各種情報を予め格納する。
【００５４】
遮蔽層情報テーブル２９０は、変色領域５１１の色などに適合する遮蔽層情報を管理する。遮蔽層情報は、メイクシート５０の遮蔽層（第１機能層５２１及び第２機能層５２２）の構成を決定するための情報である。なお、遮蔽層情報テーブル２９０の詳細については後述する（図６参照）。
【００５５】
画像取得部２２０は、カメラ２０２（図１参照）が撮影したユーザ４００の顔画像５００を取得し、画像データ格納部２７０に格納する。また、画像取得部２２０は、その取得した顔画像５００を、画像解析部２３０へ出力する。
【００５６】
画像解析部２３０は、顔画像５００を解析して１又は複数の変色領域５１１を特定し、変色領域５１１の形状及び色を特定する。また、画像解析部２３０は、変色領域５１１の周辺の色を特定する。また、画像解析部２３０は、変色領域５１１の形状に基づいてメイクシート５０の形状を決定する。なお、画像解析部２３０の処理の詳細については後述する。
【００５７】
シート情報生成部２４０は、遮蔽層情報テーブル２９０から、画像解析部２３０によって特定された変色領域５１１の色などに適合する遮蔽層情報（第１機能層５２１及び第２機能層５２２）を決定する。また、シート情報生成部２４０は、画像解析部２３０によって特定された変色領域５１１の周辺の色に基づいて、第３機能層５２３を決定する。そして、シート情報生成部２４０は、それら決定した第１機能層５２１、第２機能層５２２及び第３機能層５２３の色及び厚さなどの情報を含むシート情報を生成する。なお、シート情報生成部２４０の処理の詳細については後述する。
【００５８】
仕上がり確認部２５０は、シート情報に基づいて生成されるメイクシート５０を貼付した場合のイメージ画像を生成及び表示し、ユーザにメイクシート５０の仕上がり具合を確認させる。また、仕上がり確認部２５０は、ユーザ４００からのメイクシート５０の色の調整指示を受け付ける。なお、仕上がり確認部２５０の詳細については後述する。
【００５９】
印刷制御部２６０は、シート情報生成部２４０が生成し、仕上がり確認部２５０で調整されたシート情報に基づいて、印刷装置３００でメイクシート５０を生成するための印刷データを生成する。また、印刷制御部２６０は、印刷データを、所定のネットワーク又はケーブルなどを介して印刷装置３００へ送信する。
【００６０】
印刷装置３００は、印刷制御部２６０から送信された印刷データに従って、薄膜５２０に、第１機能層５２１、第２機能層５２２及び第３機能層５２３を積層印刷することにより、実施の形態１に示すようなメイクシート５０を生成する。
【００６１】
なお、印刷装置３００が、上記の印刷制御部２６０を備えてもよい。この場合、画像処理装置２００は、シート情報を、ネットワーク又はケーブルを介して、印刷装置３００へ送信し、印刷装置３００の印刷制御部２６０が、受信したシート情報から印刷データを生成する。なお、この場合、シート情報には、ユーザ４００を特定するための識別情報が付与される。
【００６２】
＜遮蔽層情報テーブルの詳細＞
次に、図６を参照し、遮蔽層情報テーブル２９０の詳細について説明する。
【００６３】
遮蔽層情報テーブル２９０は、ＣＩＥ  １９７６（Ｌ＊，ａ＊，ｂ＊）色空間（以下「Ｌａｂ色空間」という）と、遮蔽層の構成との関係を定義する。
【００６４】
具体的には、遮蔽層情報テーブル２９０は、図６に示すように、明度（Ｌ＊値）を所定の範囲で区分した各グレードと、色度（ａ＊値及びｂ＊値）を所定の範囲で区分した各色系統とを定義する。
【００６５】
図６は、明度（Ｌ＊値）を、「１００〜７０」のグレード１、「６９〜６０」のグレード２、「６９〜６０」のグレード３、「５０〜０」をグレード４に区分し、色度を、ａ＊値「１５〜１００」かつｂ＊値「０〜１９」の赤系統、ａ＊値「０〜１５」かつｂ＊値「２０〜１００」の黄系統、ａ＊値「−１５〜１４」かつｂ＊値「−１００〜０」の青系統などに区分した例である。色系統は、赤系統、黄系統、及び青系統に加えて、ピンク系統、及び茶系統などを含んでもよい。
【００６６】
そして、遮蔽層情報テーブル２９０は、グレード及び色系統の組み合わせに対して、１つの遮蔽層情報を対応付ける。グレード及び色系統の組み合わせに対して対応付けられている遮蔽層情報は、変色領域５１１が当該グレードに属する明度かつ当該色系統に属する色度である場合に、変色部位をできるだけ目立たなくする、遮蔽層（第１機能層５２１及び第２機能層５２２）の構成情報を含む。ここで、第１機能層の構成情報は、第１機能層５２１の厚さ及び色の情報を含み、第２機能層の構成情報は、第２機能層５２２の厚さ及び色の情報を含んでよい。なお、厚さの情報は、ナノメートルのように長さの単位で表現されてもよいし、印刷の積層回数の単位で表現されてもよい。
【００６７】
したがって、画像処理装置２００は、遮蔽層情報テーブル２９０から、変色領域５１１の明度（Ｌ＊値）及び色度（ａ＊値及びｂ＊値）に対応する遮蔽層情報を特定することにより、変色部位がより目立たなくなる遮蔽層（第１機能層５２１及び第２機能層５２２）が形成されたメイクシート５０が生成されるようになる。
【００６８】
なお、図６に示す色度を区分するためのａ＊値及びｂ＊値の閾値は一例に過ぎず、当該閾値は、カメラ２０２の種類、偏光フィルタ、及び／又は、照明環境などに応じて変更されてよい。また、色度を、例えば、（ｂ＊値）≧１．２８４×（ａ＊値）を黄系統、（ｂ＊値）＜１．２８４×（ａ＊値）を赤系統、などのように区分してもよい。
【００６９】
＜画像処理装置の全体処理＞
次に、図７のフローチャートを参照し、画像処理装置２００の処理について説明する。
【００７０】
まず、画像取得部２２０は、カメラ２０２が撮影した顔画像５００を取得し、画像データ格納部２７０に格納すると共に、画像解析部２３０へ出力する（Ｓ１０１）。
【００７１】
次に、画像解析部２３０は、顔画像５００を解析して変色領域５１１の位置、形状及び色、変色領域５１１の周辺の色、並びに、メイクシート５０の形状を特定する（Ｓ１０２）。なお、この画像解析部２３０の処理の詳細については後述する。
【００７２】
次に、シート情報生成部２４０は、シート情報を生成する（Ｓ１０３）。なお、このシート情報生成部２４０の処理の詳細については後述する（図８参照）。
【００７３】
次に、仕上がり確認部２５０は、シート情報から生成されるメイクシート５０を貼付したときの仕上がり具合をユーザ４００に確認させ、ユーザ４００からシート情報の調整を受け付ける（Ｓ１０４）。なお、この仕上がり確認部２５０の処理の詳細については後述する（図９参照）。
【００７４】
次に、印刷制御部２６０は、シート情報に基づいて、印刷データを生成する（Ｓ１０５）。
【００７５】
最後に、印刷制御部２６０は、印刷データを印刷装置３００へ送信する（Ｓ１０６）。
【００７６】
なお、印刷データを受信した印刷装置３００は、この印刷データに基づいて、薄膜５２０に第１機能層５２１、第２機能層５２２及び第３機能層５２３を積層印刷し、メイクシート５０を生成する。
【００７７】
＜画像解析部の処理の詳細＞
次に、ステップＳ１０２における画像解析部２３０の処理の詳細について説明する。
【００７８】
まず、画像解析部２３０は、所定のカラーチャートを撮影した画像を取得し、画像中のカラーチャートの色に基づいて、撮影環境に応じた色補正の補正値を決定する。
【００７９】
次に、画像解析部２３０は、決定された補正値により色補正を行い、パターンマッチング等の既知の画像認識処理により、顔画像５００から、顔部品の位置を検出する。
【００８０】
次に、画像解析部２３０は、顔画像５００のうち顔部品を除いた領域のうち、予め定められた色範囲の領域を、肌領域として特定する。
【００８１】
次に、画像解析部２３０は、所定の画素値（例えば明度）を境界として、この肌領域を変色領域と非変色領域とに区分して、変色領域５１１を特定する。なお、画像解析部２３０は、所定の面積以下の変色領域を、非変色領域として取り扱うようにしてもよい。
【００８２】
次に、画像解析部２３０は、変色領域５１１の近傍の非変色領域の画素値の平均値を算出し、変色領域５１１の周辺の色を特定する。なお、変色領域５１１の周辺の色は、分光測色計などの外部測定機器による測定値に基づいて決定されてもよいし、事前に用意されたカラーサンプルから選択することによって決定されてもよい。又は、変色領域５１１の周辺の色は、ユーザが使用しているファンデーション又はコンシーラー等の色情報から決定されてもよい。この場合、メイクシート５０と併用する化粧品との色なじみが良くなる効果が期待できる。
【００８３】
次に、画像解析部２３０は、顔部品の配置から、メイクシート５０の形状を決定する。例えば、画像解析部２３０は、顔部品の位置（鼻の穴、目、口、眉毛等）を避けて、特定された１つ又は複数の変色領域５１１（又は、変色領域５１１の外側に所定の幅を持たせた領域）を覆うことができる閉じた形状を、メイクシート５０の形状として決定する。なお、顔は立体形状を有し、メイクシート５０は基本形状が平面であるため、メイクシート５０の形状の大きさには５ｃｍ×５ｃｍ以下等の制限が設けられていることが望ましい。
【００８４】
以上の処理により、画像解析部２３０は、顔画像５００における変色領域５１１の位置、形状及び色、変色領域５１１の周辺の色、並びに、メイクシート５０の形状を特定する。
【００８５】
なお、画像解析部２３０は、変色領域５１１内において、複数の異なる変色を識別してもよい。例えば、画像解析部２３０は、変色領域５１１内において、ピクセル単位（画素）で色を識別する。これにより、例えば、薄い色の部位の内側に濃い色の部位が存在するような変色部位を適切に目立たなくするメイクシート５０を生成することができる。
【００８６】
また、画像解析部２３０が、変色領域５１１のＣＭＹＫ又はＲＧＢカラーモデルに従う色情報を、Ｌａｂ色空間に従う色情報（以下「Ｌａｂ色情報」という）に変換してもよい。
【００８７】
また、画像解析部２３０は、変色領域５１１において、Ｌ＊値が最小の区分のグレード（最も暗いグレード）に属する画素が所定の比率以上を占める場合、このＬ＊値が最小の区分のグレードを、変色領域５１１の全体のグレードとしてもよい。これにより、変色部位に貼付する際に、厳密に角度及び位置を変色部位に合わせる必要のないメイクシート５０を生成することができる。すなわち、ユーザが使いやすいメイクシート５０を生成することができる。なお、上記の「所定の比率」は、可変パラメータとして情報格納部２８０で管理されてよい。
【００８８】
また、画像解析部２３０は、変色領域５１１において、色系統の異なる複数の領域が存在する場合、それらの領域のグレードが同じならば、それらの領域のうち、面積が最も大きい領域の色系統を、変色領域５１１の全体の色系統としてもよい。
【００８９】
また、画像解析部２３０は、変色領域５１１の色及び／又は形状などから、変色部位の種別を特定してもよい。変色部位の種別とは、例えば、色素斑、肝斑、扁平母斑、色素細胞性母斑、太田母斑、後天性、真皮メラノサイトーシス、紅斑、紫斑、白斑、青あざ、ほくろ、毛穴の黒ずみ、日焼け領、域、ざ瘡（ニキビ）、ニキビ痕、摩擦や炎症による色素沈着、しわ、雀卵斑（そばかす）、タトゥー、疣贅、瘢痕等である。
【００９０】
＜シート情報生成部の処理の詳細＞
次に、図８のフローチャートを参照し、ステップＳ１０３におけるシート情報生成部２４０の処理の詳細について説明する。
【００９１】
まず、シート情報生成部２４０は、画像解析部２３０によって特定された変色領域５１１のＣＭＹＫ又はＲＧＢカラーモデルに従う色情報を、Ｌａｂ色情報に変換する（Ｓ２０１）。同様に、シート情報生成部２４０は、変色領域５１１の周辺の色についても、Ｌａｂ色情報に変換する。なお、このＬａｂ色情報に変換する処理は、シート情報生成部２４０ではなく、画像解析部２３０によって行われてもよい。
【００９２】
次に、シート情報生成部２４０は、変色領域５１１のＬａｂ色情報における色度（ａ＊値及びｂ＊値）が、遮蔽層情報テーブル２９０における何れの色系統に属するかを判定する（Ｓ２０２）。
【００９３】
次に、シート情報生成部２４０は、変色領域５１１のＬａｂ色情報における明度（Ｌ＊値）が、遮蔽層情報テーブル２９０における何れのグレードに属するかを判定する（Ｓ２０３）。
【００９４】
次に、シート情報生成部２４０は、遮蔽層情報テーブル２９０から、ステップＳ２０２で判定された色系統と、ステップＳ２０３で判定されたグレードと、に適合する遮蔽層情報を特定する（Ｓ２０４）。これにより、第１機能層５２１及び第２機能層５２２の構成（色及び厚さなど）が決定される。
【００９５】
次に、シート情報生成部２４０は、変色領域５１１の周辺のＬａｂ色情報に基づいて、第３機能層５２３の構成を決定する（Ｓ２０５）。例えば、シート情報生成部２４０は、変色領域５１１の周辺のＬａｂ色情報に最も近い色を、第３機能層５２３の色に決定する。なお、第３機能層５２３の色は、必ずしも変色領域５１１の周辺のＬａｂ色情報に基づいて決定される必要は無く、例えば、ユーザから予め指示されたＬａｂ色情報に基づいて決定されてもよい。
【００９６】
最後に、シート情報生成部２４０は、ステップＳ２０４で決定した第１機能層５２１及び第２機能層５２２の構成と、ステップＳ２０５で決定した第３機能層５２３の構成と、変色領域５１１の位置及び形状と、変色領域５１１のＬａｂ色情報と、変色領域５１１の周辺のＬａｂ色情報と、メイクシート５０の形状の情報と、を含むシート情報を生成する（Ｓ２０６）。
【００９７】
以上の処理により、シート情報生成部２４０は、第１の実施形態で説明したメイクシート５０を生成するためのシート情報を生成する。
【００９８】
なお、画像解析部２３０において変色領域５１１の種別が特定された場合、シート情報生成部２４０は、その特定された変色領域５１１の種別に応じて、第１機能層５２１、第２機能層５２２及び／又は第３機能層５２３の構成を調整してもよい。
【００９９】
＜仕上がり確認部の処理の詳細＞
次に、図９のフローチャート、及び、図１０の仕上がり確認画面を参照し、ステップＳ１０４における仕上がり確認部２５０の処理の詳細について説明する。
【０１００】
まず、仕上がり確認部２５０は、ステップＳ１０１で取得された顔画像５００と、ステップＳ１０５で生成されたシート情報とを用いて、シート情報に基づいて生成されるメイクシート５０をユーザ４００の顔に貼付した、シミュレーション画像を生成する（Ｓ３０１）。
【０１０１】
次に、仕上がり確認部２５０は、Ｓ３０１で生成したシミュレーション画像を表示部２０３に表示し、メイクシート５０の仕上がり具合に同意するか否かをユーザ４００に問い合わせる（Ｓ３０２）。
【０１０２】
ユーザ４００がメイクシート５０の仕上がり具合に同意した場合（Ｓ３０２：ＹＥＳ）、次に、仕上がり確認部２５０は、シート情報を確定し（Ｓ３０３）、本処理を終了する。
【０１０３】
ユーザ４００がメイクシート５０の仕上がり具合に同意しない場合（Ｓ３０２：ＮＯ）、次に、仕上がり確認部２５０は、図１０に示すように、変色部位の隠れ具合を調整するためのＵＩ（User Interface）６０１、及び、メイクシート５０の色合いを調整するためのＵＩ６０２を表示し、ユーザ４００からの調整を受け付ける（Ｓ３１０）。なお、仕上がり確認部２５０は、複数の変色領域５１１が存在する場合、ユーザ４００が調整対象とする変色領域５１１を選択するためのＵＩ５１１ａ、５１１ｂ、５１１ｃを表示してもよい。
【０１０４】
ユーザ４００は、これらのＵＩを操作して、メイクシート５０の色などを調整する。例えば、ユーザ４００は、色合いを調整するためのＵＩ６０２を操作して、メイクシート５０の色合いを、もっと周辺の色と馴染むように調整したり、ユーザ４００が普段使用しているファンデーションの色に適合するように調整したりする。また、ユーザ４００は、変色部位の隠れ具合を調整するためのＵＩ６０１を操作して、メイクシート５０の明るさを調整する。
【０１０５】
次に、仕上がり確認部２５０は、ステップＳ３１０におけるユーザの調整内容を、シート情報に反映する（Ｓ３１１）。典型的には、ＵＩ６０２による色合いの調整内容が、第３機能層５２３の色に反映され、ＵＩ６０１による変色部位の隠れ具合の調整内容が、第２機能層５２２の厚さに反映される。そして、仕上がり確認部２５０は、ステップＳ３０１に戻り、調整後のシート情報に基づいて生成されるメイクシート５０を貼付した場合のシミュレーション画像を再生成する。
【０１０６】
以上の処理により、仕上がり確認部２５０は、メイクシート５０の印刷工程に進む前に、ユーザ４００にメイクシート５０の仕上がり具合を確認させる。また、仕上がり確認部２５０は、必要に応じて、ユーザ４００にメイクシート５０の仕上がり具合を調整させる。
【０１０７】
なお、仕上がり確認部２５０は、画像処理装置２００において、必ずしも必須の構成ではなく、仕上がりをユーザに確認させずに印刷する構成、あるいはユーザに確認させずに印刷するモードがあってもよい。
【０１０８】
＜実施の形態２の効果＞
実施の形態２に係る画像処理装置２００は、変色部位を撮影した顔画像から、変色部位に対応する変色領域５１１を特定し、その特定した変色領域５１１におけるＬａｂ色空間のａ＊値及びｂ＊値に基づいて第１機能層５２１の色を決定し、当該変色領域５１１におけるＬａｂ色空間のＬ＊値に基づいて第２機能層５２２の厚さを決定する。これにより、変色部位をより目立たなくするメイクシート５０を生成することができる。
【０１０９】
＜第１機能層の色の決定のバリエーション＞
実施の形態１および実施の形態２において、第１機能層の色は、下記（１）〜（３）のように決定してもよい。
（１）変色領域の色系統に基づく色の決定
例えば、変色領域が黄系統の場合、第１機能層にピーチオレンジを選択する。色素斑や目の下のクマなどをカバーする場合に有効である。また、変色領域が赤系統の場合、第１機能層にはライトグリーンを選択する。ニキビ跡をカバーする場合に有効である。また、変色領域の周辺の色の明度により、濃度が決定される。
（２）変色領域の色系統および変色領域の周辺の色系統に基づく色の決定
黄系統の変色領域をもつユーザのうち、変色領域の周辺の色の明度（Ｌ＊）が任意の閾値より高い場合には、第１機能層のピーチオレンジの濃度を薄くすることが決定される。また、変色領域の周辺の色が青味が強い場合には、血色を良く魅せるために、変色領域の周辺の上部（つまり、変色領域上部の第１機能層の隣接する層）にピンクを付与することもできる。これにより、変色領域をカバーすると同時に、変色領域の周辺を含む肌全体を健康的に見せることができる。
（３）変色部位が肌のくすみである場合に対するアプローチ
変色部位が肌のくすみの対応例として、シートによって、くすみを目立たなく、かつ、透明感を与えるために、第１機能層として、ブルーを選択する。なお、くすみをもつユーザのうち、取得された変色領域の周辺の色の明度（Ｌ＊）が任意の閾値より高い場合には、第１機能層にパープルを選択する。このとき、第１機能層の形成（印刷）には、パープルを第１機能層の面全体に印刷してもよいし、ブルーとピンクのドットもしくはラインを面内に分布させてもよい。
【０１１０】
＜第２機能層の厚み方向の色のバリエーション＞
実施の形態１および実施の形態２において、第２機能層は厚み方向に同一色相および同一明度を均一に配置してもよい。また、決定された第２機能層の色について、厚み方向に濃淡を変えてもよい。例えば、第１機能層に側から第３機能層の厚み方向に、濃い色から徐々に淡い色となるよう構成してもよい。
【０１１１】
＜ハードウェア構成＞
以上、本開示に係る実施形態について図面を参照して詳述してきたが、上述した画像処理装置２００の機能は、コンピュータプログラムにより実現され得る。
【０１１２】
図１１は、装置２００の機能をプログラムにより実現するコンピュータのハードウェア構成を示す図である。このコンピュータ１１００は、キーボードやマウス、タッチパッドなどの入力装置１１０１、ディスプレイやスピーカーなどの出力装置１１０２、ＣＰＵ（Central Processing Unit）１１０３、ＲＯＭ（Read Only Memory）１１０４、ＲＡＭ（Random Access Memory）１１０５、ハードディスク装置やＳＳＤ（Solid State Drive）などの記憶装置１１０６、ＤＶＤ−ＲＯＭ（Digital Versatile Disk Read Only Memory）やＵＳＢ（Universal Serial Bus）メモリなどの記録媒体から情報を読み取る読取装置１１０７、ネットワークを介して通信を行う送受信装置１１０８を備え、各部はバス１１０９により接続される。
【０１１３】
そして、読取装置１１０７は、上記装置２００の機能を実現するためのプログラムを記録した記録媒体からそのプログラムを読み取り、記憶装置１１０６に記憶させる。あるいは、送受信装置１１０８が、ネットワークに接続されたサーバ装置と通信を行い、サーバ装置からダウンロードした上記各装置の機能を実現するためのプログラムを記憶装置１１０６に記憶させる。
【０１１４】
そして、ＣＰＵ１１０３が、記憶装置１１０６に記憶されたプログラムをＲＡＭ１１０５にコピーし、そのプログラムに含まれる命令をＲＡＭ１１０５から順次読み出して実行することにより、上記装置２００の機能が実現される。
【産業上の利用可能性】
【０１１５】
本開示に係るシートは、特に、美容に関する用途に有用であり、本開示に係る画像処理装置及び画像処理方法は、当該シートの生成に有用である。
【符号の説明】
【０１１６】
１００  メイク支援システム
２００  画像処理装置
２０１  照明部
２０２  カメラ
２０３  表示部
２２０  画像取得部
２３０  画像解析部
２４０  シート情報生成部
２５０  仕上がり確認部
２６０  印刷制御部
２７０  画像データ格納部
２８０  情報格納部
２９０  遮蔽層情報テーブル
３００  印刷装置
５２０  薄膜
５２１  第１機能層
５２２  第２機能層
５２３  第３機能層
【図１】
2019003649.tif 000003
【図２】
2019003649.tif 000004
【図３Ａ】
2019003649.tif 000005
【図３Ｂ】
2019003649.tif 000006
【図４Ａ】
2019003649.tif 000007
【図４Ｂ】
2019003649.tif 000008
【図４Ｃ】
2019003649.tif 000009
【図５】
2019003649.tif 000010
【図６】
2019003649.tif 000011
【図７】
2019003649.tif 000012
【図８】
2019003649.tif 000013
【図９】
2019003649.tif 000014
【図１０】
2019003649.tif 000015
【図１１】
2019003649.tif 000016
【国際調査報告】
2019003649.tif 000017
2019003649.tif 000018